(57)【特許請求の範囲】
【請求項１】
主に寒冷地のゴルフ場、パークゴルフ場、サッカー場、野球場、イベント会場などの芝生を、冬枯れから早期に緑化させる方法であって、少なくとも芝生面に止釘あるいはピンを地表からその頭部までが間隔を有するように打設する工程と、該止釘あるいはピン上にシートを敷設する工程と、該シート端部を止釘あるいはピンを打設して固定する工程とを含むことを特徴とする、早期に芝生を緑化する方法。
【請求項２】
主に寒冷地のゴルフ場、パークゴルフ場、サッカー場、野球場、イベント会場などの芝生を、冬枯れから早期に緑化させる方法であって、少なくとも芝生面に止釘あるいはピンを地表からその頭部までが間隔を有するように打設する工程と、該止釘あるいはピン上にシートを敷設する工程と、該シート端部を止釘あるいはピンを打設して固定する工程とを含み、該止釘あるいはピンの地表からその頭部までの間隔は５０ｍｍ以上であり、該止釘あるいはピンの全長は１５０ｍｍ以上である事を特徴とする、請求項１記載の早期に芝生を緑化する方法。
【請求項３】
主に寒冷地のゴルフ場、パークゴルフ場、サッカー場、野球場、イベント会場などの芝生を、冬枯れから早期に緑化させる方法であって、少なくとも芝生面に止釘あるいはピンを地表からその頭部までが間隔を有するように打設する工程と、該止釘あるいはピン上にシートを敷設する工程と、該シート端部を止釘あるいはピンを打設して固定する工程とを含み、該シートは芝生面側がネット、外面側が防水性のある素材の二層構成である事を特徴とする、請求項１乃至２記載の早期に芝生を緑化する方法。
【請求項４】
主に寒冷地のゴルフ場、パークゴルフ場、サッカー場、野球場、イベント会場などの芝生を、冬枯れから早期に緑化させる方法であって、少なくとも芝生面に止釘あるいはピンを地表からその頭部までが間隔を有するように打設する工程と、該止釘あるいはピン上にシートを敷設する工程と、該シート端部を止釘あるいはピンを打設して固定する工程とを含み、該止釘あるいはピンは釘に金属製のワッシャ及び／又はゴム製のワッシャを装填した物を用いる事を特徴とする、請求項１乃至３記載の早期に芝生を緑化する方法。
【請求項５】
主に寒冷地のゴルフ場、パークゴルフ場、サッカー場、野球場、イベント会場などの芝生を、冬枯れから早期に緑化させる方法であって、少なくとも芝生面に止釘あるいはピンを地表からその頭部までが間隔を有するように打設する工程と、該止釘あるいはピン上にシートを敷設する工程と、該シート端部を止釘あるいはピンを打設して固定する工程とを含み、該止釘あるいはピンは釘の頭部に非金属製の部材を装着してなる物を用いる事を特徴とする、請求項１乃至４記載の早期に芝生を緑化する方法。
【請求項６】
主に寒冷地のゴルフ場、パークゴルフ場、サッカー場、野球場、イベント会場などの芝生を、冬枯れから早期に緑化させる方法であって、少なくとも芝生面に止釘あるいはピンを地表からその頭部までが間隔を有するように打設する工程と、該止釘あるいはピン上にシートを敷設する工程と、該シート端部を止釘あるいはピンを打設して固定する工程とを含み、該止釘あるいはピンは釘の頭部に非金属製の部材を装着してなり、該釘頭部に装着する非金属製の部材は釘に装填されたゴムワッシャと接着されてなる物を用いる事を特徴とする、請求項４乃至５記載の早期に芝生を緑化する方法。
【請求項７】
主に寒冷地のゴルフ場、パークゴルフ場、サッカー場、野球場、イベント会場などの芝生を、冬枯れから早期に緑化させる方法であって、少なくとも芝生面に止釘あるいはピンを地表からその頭部までが間隔を有するように打設する工程と、該止釘あるいはピン上にシートを敷設する工程と、該シート端部を止釘あるいはピンを打設して固定する工程とを含み、該一連の工程を施工する前に融雪あるいは除雪を行う工程と、施肥を行なう工程とを有する事を特徴とする、請求項１乃至６記載の早期に芝生を緑化する方法。
【発明の詳細な説明】
【０００１】
【発明が属する技術分野】
本発明は、主に寒冷地のゴルフ場、パークゴルフ場、サッカー場、野球場、イベント会場などの芝生を、冬枯れから早期に緑化させる方法に関わるものである。
【０００２】
【従来の技術】
従来、主に寒冷地のゴルフ場、パークゴルフ場、サッカー場、野球場、イベント会場などの芝生は、冬季は冬枯れ状態となり、積雪がなくなっても緑化するまでには長期間を必要としていた。
【０００３】
このため、従来は融雪あるいは除雪によって芝生の積雪を除いた後、芝生をビニールシートで覆う工法が行なわれていた。
【０００４】
さらに、コストはかかるが支柱を多数設置してシートがけを行ない、あたかもビニールハウスを設置するような方法も用いられている。
【０００５】
【発明が解決しようとする課題】
しかし、従来の主に寒冷地のゴルフ場、パークゴルフ場、サッカー場、野球場、イベント会場などの芝生を緑に戻す方法は、その緑化効率が低く、長期間を必要とするため、寒冷地のゴルフ場、パークゴルフ場、サッカー場、野球場、イベント会場などの稼働率の低下を招いていた。
【０００６】
また、従来の融雪あるいは除雪によって芝生の積雪を除いた後、芝生をビニールシートで覆う工法では、天候が良好であれば問題は少ないものの、降雨あるいは降雪等があるとシート上の排水が悪く、芝生面も排水及び通気性が悪いため、根ぐされ等の障害を引き起こす場合があった。
【０００７】
また、コストはかかるが支柱を多数設置してシートがけを行ない、あたかもビニールハウスを設置するような方法では、工程が複雑になり、資材も大量に必要であるため、非常なコストアップに繋がっていた。
【０００８】
【課題を解決するための手段】
そこで本発明は、主に寒冷地のゴルフ場、パークゴルフ場、サッカー場、野球場、イベント会場などの芝生を、簡単な工程で低コストで冬枯れから早期に緑化させる方法を提供し、寒冷地のゴルフ場、パークゴルフ場、サッカー場、野球場、イベント会場などの稼働率の向上をもたらすものである。
【０００９】
具体的には本発明においては、主に寒冷地のゴルフ場、パークゴルフ場、サッカー場、野球場、イベント会場などの芝生を、冬枯れから早期に緑化させる方法であって、少なくとも芝生面に止釘あるいはピンを地表からその頭部までが間隔を有するように打設する工程と、該止釘あるいはピン上にシートを敷設する工程と、該シート端部を止釘あるいはピンを打設して固定する工程とを含むことに特徴がある。
【００１０】
さらに本発明においては、該止釘あるいはピンの地表からその頭部までの間隔は５０ｍｍ以上であり、該止釘あるいはピンの全長は１５０ｍｍ以上であるようにしたことに特徴がある。
【００１１】
さらに本発明においては、該シートは芝生面側がネット、外面側が防水性のある素材の二層構成であるようにしたことに特徴がある。
【００１２】
さらに本発明においては、該止釘あるいはピンは釘に金属製のワッシャ及び／又はゴム製のワッシャを装填した物を用いるようにしたことに特徴がある。
【００１３】
さらに本発明においては、該止釘あるいはピンは釘の頭部に非金属製の部材を装着してなる物を用いるようにしたことに特徴がある。
【００１４】
さらに本発明においては、該止釘あるいはピンは釘の頭部に非金属製の部材を装着してなり、該釘頭部に装着する非金属製の部材はく義に装填されたゴムワッシャと接着されてなる物を用いるようにしたことに特徴がある。
【００１５】
さらに本発明においては、主に寒冷地のゴルフ場、パークゴルフ場、サッカー場、野球場、イベント会場などの芝生を、冬枯れから早期に緑化させる方法であって、少なくとも芝生面に止釘あるいはピンを地表からその頭部までが間隔を有するように打設する工程と、該止釘あるいはピン上にシートを敷設する工程と、該シート端部を止釘あるいはピンを打設して固定する工程とを含み、該一連の工程を施工する前に融雪あるいは除雪を行う工程と、施肥を行なう工程とを有するようにしたことに特徴がある。
【００１６】
【発明の実施の形態】
本発明においては、主に寒冷地のゴルフ場、パークゴルフ場、サッカー場、野球場、イベント会場などの芝生を、冬枯れから早期に緑化させる方法であって、少なくとも芝生面に止釘あるいはピンを地表からその頭部までが間隔を有するように打設する工程と、該止釘あるいはピン上にシートを敷設する工程と、該シート端部を止釘あるいはピンを打設して固定する工程とを含む施工方法を行う事によって、低コストで非常に早期に冬枯れの芝生を緑化せしめることを可能にするものである。
【００１７】
【実施例】
以下に、本発明の詳細を、図を用いながら詳細に説明する。図１は、本発明に係る早期に芝生を緑化する方法を説明するための概念図である。ここで、１１は頭部と地表に間隔を持って敷設された止釘、１２はネット、１３は防水性のあるシート、１４は端部を固定する止釘又はピンを示す。
【００１８】
頭部と地表に間隔を持って敷設された止釘１１は、その全長が１５０ｍｍ以上の止釘を用い、その地表からその頭部までの間隔は５０ｍｍ以上となるように設置されている。この工程は一般の張芝等の敷設時の止釘の打設工程と同様であり、簡便な工程で施工することが出来る。
【００１９】
ここで、頭部と地表に間隔を持って敷設された止釘１１は、その地表からその頭部までの間隔が５０ｍｍ以上となるように設置されているため、シートと芝生面の間に間隙が生じ、通気性を確保して根ぐされ等の障害を防止する効果があった。また、この間隙の存在は芝生の保温と共に昼夜の温度差を減少させ、地表から蒸発した水分を還流させる効果があり、芝生の緑化育成に与って効果がある。
【００２０】
設置するシートは、図中１２に示すネットと１３に示す防水性のあるシートの二層構成とした。本実施例においては、１３に示す防水性のあるシートとしては一般の農業用ビニールを用い、１２に示すネットとしては法面保護の施工等に用いるネットを用いた。このため、部材コストは非常に低廉であった。また、農業用ビニールを用いている事で、簡便な施工方法でありながら実質的には芝生をビニールハウスで保護したと同等の保温性、通気性、防湿性を与える事が出来、早期の緑化に与って効果があった。また、１２に示すネットを１３に示す防水性のあるシートの下に敷設した事で、止釘頭部で受けて間隙を規定する施工方法であっても１３に示す防水性のあるシートが破れたりすることがなく、安価に芝生をビニールハウスで保護したと同等の効果を得る事が出来た。
【００２１】
また、設置するシートは、その端部を図中１４に示す端部を固定する止釘又はピンによって固定されている。このため、降雨などがあっても防水性のあるシート上の水は端部へ流れ、シート上に溜まることを防止すると共に間隙を保ち、早期の緑化に有効であった。本発明に係る芝生を早期に緑化させる方法においては、ビニールシートの面積や形状には限定はないが、実際の施工においては数メートルから数十メートルの長さの帯状のシートを用いるとより扱いやすい。
【００２２】
ここで、本発明に係る方法に用いられる該止釘あるいはピンの全長は１５０ｍｍ以上であることが望ましいが、これには発明者が既に出願済みの特許願（特願２００１−１３３７３４）に開示される止釘などが好適に用いられる。
【００２３】
また、本発明に係る方法に用いられる該止釘あるいはピンとしては、止釘あるいはピンは釘に金属製のワッシャ及び／又はゴム製のワッシャを装填した物を用いると、シートの保持力が増加して非常に有効である。さらには、止釘あるいはピンは釘の頭部に非金属製の部材を装着し、釘頭部に装着する非金属製の部材は釘に装填されたゴムワッシャと接着されてなる物を用いるとさらに効果が高い。ここで、止釘あるいはピンは釘に金属製のワッシャ及び／又はゴム製のワッシャを装填した物としては、発明者が既に出願済みの実用新案登録願（実願２００１−００２２３２）に開示される止釘などが好適に用いられる。
【００２４】
さらに、本発明に係る施工方法では、一連の工程を施工する前に融雪あるいは除雪を行う工程と、施肥を行なう工程とを実施すると、更に効果が高い。
【００２５】
ここで、本実施例によって得られた実験結果について具体的に説明する。冬枯れの芝生面を融雪、除雪した後、施肥を行い、その後長さ１８０ｍｍの止釘にゴムワッシャを装填し、樹脂板を直径５０ｍｍの円形にしたものをゴムワッシャと接着剤を介して接着した止釘を、１平方メートルあたり約５本の密度で地表から樹脂板表面までの高さが約１０ｍｍとなるように打ち込んだ。次に、ネット付のビニールシートを、前記止釘上に１０ｍ単位で敷設した。さらに、前記シートの端部を長さ１５０ｍｍの止釘に金属製のワッシャとゴムワッシャを装填した止釘を用いて止め付けた。
【００２６】
前記の施工を、北海道有珠郡のゴルフ場に於いて３月１２日に実施した。その結果、１５日には草丈が５０ｍｍ程度まで芝生が成長し、１８日には完全に緑化してゴルフが可能な状態となった。これは北海道としては非常に早期に緑化が実現したといえる結果である。本実施例の通り、一般的には５月初旬にようやくオープンできる北海道のゴルフ場において本発明に係る方法を用いれば約１箇月以上も早期にオープンする事が可能となり、その経済的な効果は非常に顕著である。
【００２７】
ここで、本発明に係る芝生を早期に緑化させる方法は、前記具体例のゴルフ場に限定されるものではなく、パークゴルフ場、サッカー場、野球場、イベント会場などの芝生を敷設した全ての施設に同様に応用できる。
【００２８】
【発明の効果】
以上説明したように主に寒冷地のゴルフ場、パークゴルフ場、サッカー場、野球場、イベント会場などの芝生を、簡単な工程で低コストで冬枯れから早期に緑化させる方法を提供し、寒冷地のゴルフ場、パークゴルフ場、サッカー場、野球場、イベント会場などの稼働率の向上をもたらすものであって、以って産業に貢献をなすものである。
【図面の簡単な説明】
【図１】本発明に係る早期に芝生を緑化する方法を説明するための概念図である。
【符号の説明】
１１    頭部と地表に間隔を持って敷設された止釘
１２    ネット
１３    防水性のあるシート
１４    端部を固定する止釘又はピン
【図１】
0004560636.tif 000002